(57)【特許請求の範囲】
【請求項１】
送信装置からの操作信号を受信する受信手段と、この操作信号内の識別コードによって上記送信装置を判別する制御手段を備え、所定の操作でペアリング設定状態となる受信装置であって、一つの上記受信装置が上記ペアリング設定状態において、上記送信装置からの上記操作信号内の上記識別コードに所定の共通コードが含まれる場合には、上記制御手段は上記共通コードを記憶し、上記識別コードに上記共通コードが含まれない場合には、上記制御手段は上記識別コード全体を記憶して、上記ペアリング設定が行われ、上記共通コードのコード数は上記識別コードのコード数より少なく、上記共通コードまたは上記識別コード全体によって上記送信装置を判別する受信装置。
【発明の詳細な説明】
【技術分野】
【０００１】
本発明は、主に門扉の施解錠やシャッターの開閉等の遠隔操作に使用される受信装置に関するものである。
【背景技術】
【０００２】
近年、門扉の施解錠やシャッターの開閉等を、機械式キーにより直接操作することに加え、携帯した送信装置から受信装置に操作信号を送信し、離れた箇所から遠隔操作することが一般的に行われており、安価で確実な操作の可能なものが求められている。
【０００３】
このような従来の受信装置や通信システムについて、図３及び図４を用いて説明する。
【０００４】
図３は従来の通信システムのブロック回路図であり、同図において、１はアンテナ等の受信手段、２はマイコン等の制御手段で、上下面に複数の配線パターンが形成された配線基板（図示せず）にこれらが実装され、受信手段１が制御手段２に接続されて、受信装置３が構成されている。
【０００５】
また、４は携帯用の送信装置で、アンテナ等の送信手段５や、マイコン等の制御手段６、スイッチ７Ａや７Ｂが配線基板（図示せず）に実装されると共に、送信装置毎に異なる識別コードや操作コード等が記憶された制御手段６に、送信手段５とスイッチ７Ａ、７Ｂが接続されている。
【０００６】
さらに、これらを略箱型で絶縁樹脂製のケース（図示せず）が覆い、スイッチ７Ａ、７Ｂにはケースから突出する押釦等が装着されて、送信装置４が形成されている。
【０００７】
なお、このような電波を用いて遠隔操作を行う受信装置３や送信装置４の場合、他の送信装置や受信装置による誤操作を防ぐため、使用前に、一組の受信装置３と送信装置４のみがペアとして操作可能となる設定、いわゆるペアリングが一般的に行われている。
【０００８】
つまり、上記の構成において、先ず、所定の操作によって受信装置３をペアリング設定状態にした後、ペアリングする送信装置４の、例えば解錠用の押釦を押圧操作すると、例えばスイッチ７Ａの電気的接離が行われ、これを制御手段６が検出して、図４（ａ）の信号コード図に示すような、送信装置毎に異なる識別コードＬ１と、門扉を解錠するための操作コードＭ１から形成された、操作信号が電波として送信手段５から送信される。
【０００９】
そして、この操作信号を受信装置３の受信手段１が受信し、制御手段２が送信装置毎に固有の識別コードＬ１を記憶することによって、受信装置３と送信装置４が一組のペアとして操作可能となるペアリング設定が完了する。
【００１０】
また、このようにペアリングされた受信装置３が門扉やシャッター等の所定箇所に装着されると共に、受信装置３の制御手段２がコネクタやリード線（図示せず）等によって、電池や交流電源（図示せず）、及び門扉の錠機構（図示せず）やシャッターの開閉を駆動する、モータ等の駆動手段８に電気的に接続されて、通信システムが構成される。
【００１１】
以上の構成において、門扉とある程度離れた場所から、携帯した送信装置４の例えば門扉解錠用のスイッチ７Ａを押圧操作すると、図４（ａ）に示したような、識別コードＬ１と門扉解錠用の操作コードＭ１から形成された、操作信号が電波として送信装置４から送信される。
【００１２】
そして、この操作信号を受信装置３の受信手段１が受信し、この操作信号内の識別コードＬ１を制御手段２が判別して、ペアリング時に記憶した送信装置４のものと同一である場合には、操作コードＭ１に従って制御手段２から駆動信号が出力され、駆動手段８が駆動して門扉の錠が解錠される。
【００１３】
つまり、門扉やシャッターに接近し機械式キーによって、門扉の施解錠やシャッターの開閉を直接行うことに加え、携帯した送信装置４を操作することによって、ある程度離れた場所からでも、門扉の施解錠やシャッターの開閉を遠隔操作できるように構成されている。
【００１４】
また、上述したように、使用前にペアリングを行い、一組の受信装置３と送信装置４のみがペアとして操作可能となるように設定することで、他の送信装置や受信装置からの電波による誤操作を防ぎ、確実な遠隔操作が行えるようになっている。
【００１５】
ただ、個人の住宅のように、門扉やシャッター等の遠隔操作を行う人間が、送信装置４を携帯した一人の人間のみである場合には、上記のように一組の受信装置３と送信装置４のみをペアリングすればよいが、マンション等の集合住宅の駐車場等のように、数人あるいは数十人の複数の人間が各々異なる送信装置４によって、一つの門扉やシャッター等の遠隔操作を行う場合には、一つの受信装置３に対し複数の送信装置４とのペアリングが必要となる。
【００１６】
つまり、上述したように受信装置３に、ある送信装置４の識別コードＬ１を記憶させた後、これとは別の送信装置４の押釦を押圧操作して、図４（ｂ）に示すような、別の識別コードＬ２と操作コードＭ１から形成された操作信号を送信し、この識別コードＬ２を制御手段２に記憶させることによって、一つの受信装置３に対する二つの送信装置４のペアリングが行われる。
【００１７】
以下、同様に、三つ目の送信装置４、四つ目の送信装置４というように順次押釦を押圧操作して、各々異なる複数の識別コードを制御手段２に記憶させることで、受信装置３が複数の送信装置４を判別し、一つの受信装置３を複数の送信装置４で遠隔操作することが可能となる、ペアリング設定が行われるようになっている。
【００１８】
すなわち、個人の住宅で用いられる受信装置３は、制御手段２が一つの送信装置４の識別コードを記憶するだけでよいが、集合住宅の駐車場等で使用される受信装置３には、複数の識別コードを記憶させる必要があるため、制御手段２の記憶容量が、個人住宅用に比べ大きなものとなってしまうものであった。
【００１９】
なお、この出願の発明に関連する先行技術文献情報としては、例えば、特許文献１が知られている。
【先行技術文献】
【特許文献】
【００２０】
【特許文献１】特開２００９−２７８５０６号公報
【発明の概要】
【発明が解決しようとする課題】
【００２１】
しかしながら、上記従来の受信装置３や通信システムにおいては、集合住宅の駐車場等で用いられる受信装置３は、複数の送信装置４を判別する必要があるため、制御手段２の記憶容量が大きくなり、個人住宅用に比べ高価なものになると共に、個人住宅用と集合住宅用というように、制御手段２の記憶容量の異なる数種類の受信装置３が必要となり、受信装置３の製作も煩雑となり手間がかかってしまうという課題があった。
【００２２】
本発明は、このような従来の課題を解決するものであり、容易に製作が行え、安価で確実な遠隔操作が可能な受信装置を提供することを目的とする。
【課題を解決するための手段】
【００２３】
上記目的を達成するために本発明は、送信装置からの操作信号を受信する受信手段と、この操作信号内の識別コードによって上記送信装置を判別する制御手段を備え、所定の操作でペアリング設定状態となる受信装置であって、一つの上記受信装置が上記ペアリング設定状態において、上記送信装置からの上記操作信号内の上記識別コードに所定の共通コードが含まれる場合には、上記制御手段は上記共通コードを記憶し、上記識別コードに上記共通コードが含まれない場合には、上記制御手段は上記識別コード全体を記憶して、上記ペアリング設定が行われ、上記共通コードのコード数は上記識別コードのコード数より少なく、上記共通コードまたは上記識別コード全体によって送信装置を判別するようにして受信装置を構成したものであり、例えば識別コード先頭の二つのコードを共通コードとし、これによって制御手段が送信装置を判別することで、制御手段の記憶容量を大きくしなくとも、複数の送信装置の判別が行えると共に、記憶容量の異なる複数の受信装置を製作する必要もなくなるため、製作も容易で、安価で確実な遠隔操作が可能な受信装置を得ることができるという作用を有するものである。
【発明の効果】
【００２４】
以上のように本発明によれば、容易に製作が行え、安価で確実な操作が可能な受信装置を実現することができるという有利な効果が得られる。
【図面の簡単な説明】
【００２５】
【図１】本発明の一実施の形態による通信システムのブロック回路図
【図２】同信号コード図
【図３】従来の通信システムのブロック回路図
【図４】同信号コード図
【発明を実施するための形態】
【００２６】
以下、本発明の実施の形態について、図１及び図２を用いて説明する。
【００２７】
なお、背景技術の項で説明した構成と同一構成の部分には同一符号を付して、詳細な説明を簡略化する。
【００２８】
（実施の形態）
図１は本発明の一実施の形態による通信システムのブロック回路図であり、同図において、１はアンテナ等の受信手段、１２はマイコン等の制御手段で、上下面に複数の配線パターンが形成された配線基板（図示せず）にこれらが実装され、受信手段１が制御手段１２に接続されて、受信装置１３が構成されている。
【００２９】
また、４は携帯用の送信装置で、アンテナ等の送信手段５や、マイコン等の制御手段６、スイッチ７Ａや７Ｂが配線基板（図示せず）に実装されると共に、送信装置毎に異なる識別コードや操作コード等が記憶された制御手段６に、送信手段５とスイッチ７Ａ、７Ｂが接続されている。
【００３０】
さらに、これらを略箱型で絶縁樹脂製のケース（図示せず）が覆い、スイッチ７Ａ、７Ｂにはケースから突出する押釦等が装着されて、送信装置４が形成されている。
【００３１】
そして、このような電波を用いて遠隔操作を行う受信装置１３や送信装置４の場合、他の送信装置や受信装置による誤操作を防ぐため、使用前に、受信装置１３と所定の送信装置４のみがペアとして操作可能となる設定、いわゆるペアリングが一般的に行われる。
【００３２】
つまり、上記の構成において、先ず、所定の操作によって受信装置１３をペアリング設定状態にした後、ペアリングする送信装置４の、例えば解錠用の押釦を押圧操作すると、例えばスイッチ７Ａの電気的接離が行われ、これを制御手段６が検出して、図２（ａ）の信号コード図に示すような、送信装置毎に異なる識別コードＬ１と、門扉を解錠するための操作コードＭ１から形成された、操作信号が電波として送信手段５から送信される。
【００３３】
そして、この操作信号を受信装置１３の受信手段１が受信し、制御手段１２が送信装置毎に固有の識別コードＬ１を記憶するが、この時、制御手段１２は識別コードＬ１全体ではなく、予め定められた所定の共通コード、例えば識別コードＬ１先頭の二つのコード「００」を共通コードＬ３として記憶して、受信装置１３と送信装置４のペアリング設定が行われる。
【００３４】
また、このようにペアリングされた受信装置１３が門扉やシャッター等の所定箇所に装着されると共に、受信装置１３の制御手段１２がコネクタやリード線（図示せず）等によって、電池や交流電源（図示せず）、及び門扉の錠機構（図示せず）やシャッターの開閉を駆動する、モータ等の駆動手段８に電気的に接続されて、通信システムが構成される。
【００３５】
以上の構成において、門扉とある程度離れた場所から、携帯した送信装置４の例えば門扉解錠用のスイッチ７Ａを押圧操作すると、図２（ａ）に示したような、識別コードＬ１と門扉解錠用の操作コードＭ１から形成された、操作信号が電波として送信装置４から送信される。
【００３６】
そして、この操作信号を受信装置１３の受信手段１が受信し、この操作信号の識別コードＬ１内の共通コードＬ３を制御手段１２が判別して、共通コードＬ３がペアリング時に記憶した「００」である場合には、操作コードＭ１に従って制御手段１２から駆動信号が出力され、駆動手段８が駆動して門扉の錠が解錠される。
【００３７】
なお、この時、上記のようにペアリングを行った送信装置４ではなく、別の送信装置４の押釦を押圧操作して、図２（ｂ）に示すような、別の識別コードＬ２と操作コードＭ１から形成された操作信号が送信された場合にも、この識別コードＬ２先頭の二つのコードが「００」で、記憶した共通コードＬ３と同じものである場合には、制御手段１２がこれを判別して駆動手段８を駆動し、門扉の解錠が行われる。
【００３８】
つまり、門扉やシャッターに接近し機械式キーによって、門扉の施解錠やシャッターの開閉を直接行うことに加え、携帯した送信装置４を操作することによって、ある程度離れた場所からでも、門扉の施解錠やシャッターの開閉を遠隔操作できるように構成されている。
【００３９】
また、上記のように使用前にペアリングを行い、受信装置１３と所定の送信装置４のみがペアとして操作可能となるように設定することで、他の送信装置や受信装置からの電波による誤操作を防ぎ、確実な遠隔操作が行えると共に、所定の共通コードＬ３を制御手段１２が記憶することによって、複数の送信装置４による遠隔操作が可能なようになっている。
【００４０】
すなわち、受信装置１３と所定の送信装置４をペアリングする際、制御手段１２が送信装置毎に固有の識別コードＬ１やＬ２全体ではなく、予め定められた所定の共通コード、例えば識別コードＬ１やＬ２先頭の二つのコード「００」を共通コードＬ３として記憶し、遠隔操作時には、この共通コードＬ３によって送信装置を判別することによって、一つの受信装置１３を複数の送信装置４で遠隔操作できるように構成されている。
【００４１】
したがって、マンション等の集合住宅の駐車場等のように、数人あるいは数十人の複数の人間が各々異なる送信装置４によって、一つの門扉やシャッター等の遠隔操作を行う場合にも、各々の送信装置４の識別コード先頭の二つのコードが、共通コードＬ３と同じ「００」のものを用いるようにすれば、複数の送信装置４によって一つの受信装置１３を遠隔操作することができる。
【００４２】
また、使用前にペアリングを行う際にも、複数の送信装置４を順次押圧操作して、各々異なる複数の識別コード全体を制御手段１２に記憶させる必要はなく、２桁の共通コードＬ３を記憶させるだけですむため、制御手段１２の記憶容量を大きくする必要がなく、安価に受信装置１３を形成することが可能なようになっている。
【００４３】
さらに、共通コードＬ３を持った一つの送信装置４で、一回だけ受信装置１３のペアリングを行い、この受信装置１３と数台あるいは数十台の、共通コードＬ３を持った送信装置４をセットとして組み合わせるだけで、受信装置１３と複数の送信装置４の製作が行えるため、製作も容易に行うことができるように形成されている。
【００４４】
なお、受信装置１３と送信装置４のペアリングを行う際、送信装置４から送信された操作信号の識別コードが、予め定められた所定の共通コードＬ３ではない場合、例えば図２（ｃ）に示すように、先頭の二つのコードが「００」ではなく「０１」の識別コードＬ４であった場合には、制御手段１２はこのコード「０１」を共通コードとして記憶せず、識別コードＬ４全体を記憶して送信装置４とのペアリング設定が行われる。
【００４５】
つまり、この場合には、上記のような一つの受信装置１３に対して複数の送信装置４がペアリングされるのではなく、個人の住宅の門扉の施解錠やシャッターの開閉等に用いられる、一つの受信装置１３に対して一つの送信装置４のみが、ペアとして遠隔操作可能となるペアリングが行われる。
【００４６】
すなわち、ペアリングを行った送信装置４の識別コードＬ４が、予め定められた所定の共通コードＬ３とは異なる場合には、一組の受信装置１３と送信装置４のみが、ペアとして操作可能となるペアリングが行われるため、個人住宅用と集合住宅用というように、記憶容量の異なる複数の受信装置１３を製作する必要はなく、ペアリングによって一つの受信装置１３を、個人住宅用にも集合住宅用にも設定を行えるようになっている。
【００４７】
なお、以上の説明では、制御手段１２が判別する共通コードＬ３を、識別コードＬ１やＬ２先頭の二つのコード「００」とした構成について説明したが、例えばマンション毎に共通コードＬ３を異なるものとした構成や、三つあるいは四つのコードを共通コードＬ３とした構成としても、本発明の実施は可能である。
【００４８】
このように本実施の形態によれば、制御手段１２が送信装置４からの操作信号の、識別コードＬ１やＬ２内の所定の共通コードＬ３を記憶すると共に、この共通コードＬ３によって送信装置４を判別することで、制御手段１２の記憶容量を大きくしなくとも、複数の送信装置４の判別が行えると共に、記憶容量の異なる複数の受信装置１３を製作する必要もなくなるため、製作も容易で、安価で確実な遠隔操作が可能な受信装置を得ることができるものである。
【産業上の利用可能性】
【００４９】
本発明による受信装置は、容易に製作が行えると共に、安価で確実な操作が可能なものが得られ、主に門扉の施解錠やシャッターの開閉等の遠隔操作用として有用である。
【符号の説明】
【００５０】
１  受信手段
４  送信装置
５  送信手段
６  制御手段
７Ａ、７Ｂ  スイッチ
８  駆動手段
１２  制御手段
１３  受信装置
【図１】
0005526871.tif 000002
【図２】
0005526871.tif 000003
【図３】
0005526871.tif 000004
【図４】
0005526871.tif 000005